(57)【要約】【課題】ナットを不用意に落下させることなく、ボルトにナットを容易に嵌め込み噛み合わせることが可能なボルトを提供する。【解決手段】ボルト１は、一端部に頭部１１を有し、他端部にねじ部１２を有し、ねじ部１２にナット３が螺合して被締結体Ａ・Ｂを締結する。ナット誘導部１３はナット３のねじ部３ａの内径より小さい外径を有し、ねじ部１２の先端部にナット誘導部１３を備える。ナット誘導部１３の先端部にナット３が離脱困難な一つ以上の円環溝１ａを備える。ナット誘導部１３にナット３が挿入され、ナット３がねじ部１２の先端部に誘導されて、ボルト１にナット３を容易に嵌め込み噛み合わせできる。又、ナット３を不用意に落下させることを防止する。ナット誘導部１３の長さは、従来より短くすることが可能であり、ナット３をナット誘導部１３から円滑に取り外すことができる。【選択図】図１
2007092925.tif 000002
【特許請求の範囲】
【請求項１】
一方の端部に少なくとも頭部を有し、他方の端部にねじ部を有するボルト本体を備え、このねじ部にナットが螺合することにより被締結体が締結されるボルトであって、
前記ナットのねじ部の内径より小さい外径を有するナット誘導部を前記ねじ部の先端部に備え、
前記ナット誘導部は、その先端部に前記ナットが離脱困難な一つ以上の円環溝を備えるボルト。
【請求項２】
前記ナット誘導部の基端部は、当該ナット誘導部の先端部側から当該基端部側に向って円錐状に拡大する円錐部を備える請求項１記載のボルト。
【請求項３】
前記ナット誘導部は、前記ボルトのねじ部と一体で形成されている請求項１又は２記載のボルト。
【請求項４】
前記ナット誘導部は、前記ボルトのねじ部と別体で形成されている請求項１又は２記載のボルト。
【請求項５】
前記ナット誘導部は、当該ナット誘導部の基端部から突出形成されるピンを備え、前記ボルトのねじ部は、このピンが嵌合する穴を設ける請求項４記載のボルト。
【請求項６】
前記ピンは前記穴に圧入される請求項５記載のボルト。
【請求項７】
前記ピンは前記穴に着脱自在に挿入される請求項５記載のボルト。
【請求項８】
前記ナット誘導部は、当該ナット誘導部の基端部から突出形成されて雄ねじを形成するピンを備え、前記ボルトのねじ部は、このピンがねじ止めされる雌ねじ穴を設ける請求項４記載のボルト。
【請求項９】
前記ナット誘導部は金属から成り、前記ピンの固定端がせん断容易に形成されている請求項５から８のいずれかに記載のボルト。
【請求項１０】
前記ナット誘導部は合成樹脂から成る請求項４から８のいずれかに記載のボルト。
【請求項１１】
前記ナット誘導部は磁化された金属から成る請求項４から９のいずれかに記載のボルト。
【発明の詳細な説明】
【技術分野】
【０００１】
本発明は、ボルトに関する。特に、ボルトに締結されるナットの紛失に対する処置を施したボルトの構造に関する。
【背景技術】
【０００２】
ナットの紛失に対する処置としては、ボルトとナットを締結後に振動などでナットが緩み、ボルトからナットから脱落することを防止する脱落防止構造が一般に多く考えられている。このようなナットの脱落防止構造として、簡単な構造でナットの脱落を防止できるようにして安価なナットの脱落防止構造が発明されている（例えば、特許文献１参照）。
【０００３】
特許文献１によるナットの脱落防止構造において、ボルトのねじ部先端の雄ねじは、この雄ねじの谷径が、前記ボルトに螺合されるナットの雌ねじに対応する内径より大きくなるように寸法設定されている。これにより、ボルトのねじ部先端の雄ねじは、ナットの雌ねじに対応する正規の規格寸法であるねじ部基端側の雄ねじの谷径に比べて噛み合いがきつくなる側に若干異なったねじ形状に形成されている。一旦、ボルトのねじ部基端側にねじ込まれたナットは、人為的に所定以上の回転トルクが加わらない限り、ボルトに対して抜け止め状態に保持される、としている。
【０００４】
一方、ナットの取り付け時およびナットの取り外し時に作業者がナットから指を離してもナットが落ちない構造としたボルトが発明されている（例えば、特許文献２参照）。
【０００５】
特許文献２によるボルトは、ナットの取り付け時に最初の螺合をする前に作業者がナットから指を離してしまった場合や、取り外し時に螺合が既に外れているのに作業者がナットから指を離してしまった場合に、外れたナットが無ねじ部に引っかかり、ナットが落ちることを防止できる、としている。
【特許文献１】特開２００３−４２１３２号公報
【特許文献２】特開２００４−２６３８３０号公報
【発明の開示】
【発明が解決しようとする課題】
【０００６】
ボルトにナットを締結するときは、被締結物から突出するボルトの先端部からナットを嵌め込み噛み合わせる。例えば、このような締結作業は手作業であり、指で摘んだナットをボルトに嵌め込むことなく、不用意に落下させてしまうことがする。高所での締結作業では、ナットを落下させると不便である。又、手元の暗い場所での締結作業において、ボルトの先端部からナットを嵌め込み噛み合わせることは困難である。
【０００７】
特許文献１によるナットの脱落防止構造は、ボルトにナットを締結後にナットを落下防止するには有効ではあっても、ボルトにナットを嵌め込み噛み合わせるときに、ナットを不用意に落下させてしまうことについては考慮されていない。ナットを不用意に落下させることなく、ボルトにナットを容易に嵌め込み噛み合わせることができれば、高所での締結作業、又、手元の暗い場所での締結作業が楽になり、便利である。
【０００８】
図５は、特許文献２による第１の実施形態に係るボルトを示す側面図である。本願の図５は、特許文献２の図１に相当している。図５において、ボルト５は、雄ねじ部６と、雄ねじ部６の先端部から突設した無ねじ部７と、を備えている。無ねじ部７は、ナット（図示せず）の内径より小さい最大外径にもつ先端部分７ａと、先端部分７ａと無ねじ部７における基端の間の凹部７ｂと、からなる。凹部７ｂは、ナットの厚みより大きい長さを有しており、かつ先端部分７ａの最大外径より小さい最小外径を有している。
【０００９】
特許文献２によるボルトは、ナットを不用意に落下させることを防止しているが、凹部７ｂは、ナットの厚みより大きい長さを有しており、ボルトとナットによる締結には不要な突起となる無ねじ部７をいたずらに突出させている。ナットの落下防止を目的としても、適宜な長さで落下防止用の突起を突出させることが好ましく、ボルトにナットを締結後は、落下防止用の突起をボルトから取り除くことが考えられてもよい。
【００１０】
又、特許文献２によるボルトは、外れたナットが無ねじ部７に引っかかり、ナットを不用意に落下させることを防止しているが、外れたナットの側面が先端部分７ａの段差に引っかかり、ナットをボルトから円滑に取り外すことができないという問題がある。例えば、先端部分７ａの段差を無くして、ナットをボルトから円滑に取り外すことが考慮されてもよい。そして、これらのことが本発明の課題といってよい。
【００１１】
本発明は、このような問題に鑑み、ナットを不用意に落下させることなく、ボルトにナットを容易に嵌め込み噛み合わせることが可能なボルトであって、ボルトからの突出長さが短く、かつナットをボルトから円滑に取り外すことが可能なボルトを提供することを目的とする。
【課題を解決するための手段】
【００１２】
本発明者は、上記目的を達成するため、ボルトの先端部にナットを誘導するナット誘導部を備える構造とし、以下のような発明を完成するに至った。
【００１３】
（１）  一方の端部に少なくとも頭部を有し、他方の端部にねじ部を有するボルト本体を備え、このねじ部にナットが螺合することにより被締結体が締結されるボルトであって、前記ナットのねじ部の内径より小さい外径を有するナット誘導部を前記ねじ部の先端部に備え、前記ナット誘導部は、その先端部に前記ナットが離脱困難な一つ以上の円環溝を備えるボルト。
【００１４】
（１）の発明によるボルトは、ボルト本体が、一方の端部に少なくとも頭部を有している。又、ボルト本体が、他方の端部にねじ部を有している。そして、ねじ部にナットが螺合することにより被締結体が締結される。ナット誘導部はナットのねじ部の内径より小さい外径を有しており、ボルトのねじ部の先端部にナット誘導部を備えている。ナット誘導部は、その先端部にナットが離脱困難な一つ以上の円環溝を備えている。
【００１５】
本発明に適用されるボルトは、ナットと組み合わされる締結部品であって、頭部とねじ部を有するボルトを含み、両端部にねじ部を有する植込みボルトを含み、ねじ部の一端部が溶接される溶接ボルト（スタッドボルト）を含んでよい。頭部とねじ部を有するボルトとしては、六角ボルト及び四角ボルトを含み、六角穴付きボルトを含んでよく、六角穴付きボタンボルト及び六角穴付きショルダボルトを含むこともできる。これらボルトは、鋼製、ステンレス製が好ましく、非鉄金属製であってもよい。
【００１６】
本発明でいうねじ部は、雄ねじが形成されている部位を含み、雄ねじが形成されていない円柱部位を含んでいる。誘導とは、物をある場所や状態に誘い導くことであって、ナット誘導部にナットが挿入された状態で、ナットがねじ部の先端部に誘導され、ボルトにナットを容易に嵌め込み噛み合わせることができる。ナット誘導部にナットが挿入されるので、ナットを不用意に落下させることが無くなる。ナット誘導部の長さは、ナットの厚さ以上であることが好ましいが、ナットの厚さと同程度の長さであってもよい。ナット誘導部の長さは、特許文献２に示された従来技術の突起となる無ねじ部より、少なくとも短くすることが可能となる。
【００１７】
（１）の発明によるボルトは、ナットをナット誘導部に挿入した状態で、ボルトから離脱する方向に移動すると、ナットの雌ねじの山が円環溝に係止して抵抗となるので、ナットが離脱困難となる。ここで、円環溝は、Ｖ字状及びＵ字状の溝であってよく、方形の溝であってもよく、円弧状の溝であってもよく、一つ以上備えられる。又、螺旋溝もこの円環溝に含んでよい。円環溝はナット誘導部の先端部側に偏って備えられることが好ましく、ナット誘導部の基端部と円環溝間に無溝部を備えることが好ましい。
【００１８】
ナットをナット誘導部に挿入した状態で、ボルトから離脱する方向に移動すると、ナットの雌ねじの山が円環溝に係止して抵抗となるので、ナットが離脱困難となる。すなわち、不用意にナットを落とすことを防止できる。（１）の発明によるボルトは、特許文献２に示された従来技術のように、外れたナットの側面が先端部分の段差に引っかかることなく、ナットをナット誘導部から円滑に取り外すことができる。
【００１９】
（２）  前記ナット誘導部の基端部は、当該ナット誘導部の先端部側から当該基端部側に向って円錐状に拡大する円錐部を備える（１）記載のボルト。
【００２０】
（２）の発明によるボルトは、ナット誘導部の基端部は、ナット誘導部の先端部側から当該基端部側に向って円錐状に拡大する円錐部を備えているので、ナットをナット誘導部に挿入した状態で、ナットを円錐部の斜面に沿ってナットが案内され、ボルトのねじ部の先端部に円滑に誘導できる。そして、ボルトにナットを容易に嵌め込み噛み合わせることができる。例えば、手元の暗い場所でもナットをねじ部の先端部に容易に噛み合わせることができる。
【００２１】
（３）  前記ナット誘導部は、前記ボルトのねじ部と一体で形成されている（１）又は（２）記載のボルト。
【００２２】
（３）の発明によるボルトは、ナット誘導部がボルトのねじ部と一体で形成されているので、製作コストが安価となる。例えば、この一体形のボルトは、切削加工で製作されてよく、鍛造により製作されてもよい。
【００２３】
（４）  前記ナット誘導部は、前記ボルトのねじ部と別体で形成されている（１）又は（２）記載のボルト。
【００２４】
（４）の発明によるボルトは、ナット誘導部がボルトのねじ部と別体で形成されているので、後述するように、ナット誘導部を着脱自在としたり、ナット誘導部をせん断容易とすることが可能となる。
【００２５】
（５）  前記ナット誘導部は、当該ナット誘導部の基端部から突出形成されるピンを備え、前記ボルトのねじ部は、このピンが嵌合する穴を設ける（４）記載のボルト。
【００２６】
ボルトのねじ部の先端部にピンを設け、ナット誘導部の基端部にこのピンが嵌合する穴を設けてもよい。
【００２７】
（６）  前記ピンは前記穴に圧入される（５）記載のボルト。
【００２８】
（６）の発明によるボルトは、ナット誘導部をねじ部にねじ込むようにして圧入することができるので、確実に結合できる。
【００２９】
（７）  前記ピンは前記穴に着脱自在に挿入される（５）記載のボルト。
【００３０】
（７）の発明によるボルトは、ナットをボルトと締結後に不要となったナット誘導部を取り外すことができる。ナットを再度緩めたときナットが落下しないように、ナット誘導部をボルトに取り付けたままにしておいてもよい。
【００３１】
（８）  前記ナット誘導部は、当該ナット誘導部の基端部から突出形成されて雄ねじを形成するピンを備え、前記ボルトのねじ部は、このピンがねじ止めされる雌ねじ穴を設ける（４）記載のボルト。
【００３２】
（８）の発明によるボルトは、ナットをボルトと締結後に不要となったナット誘導部を取り外すことができる。ナットを再度緩めたときナットが落下しないように、ナット誘導部をボルトにねじ止めしたままにしておいてもよい。
【００３３】
（９）  前記ナット誘導部は金属から成り、前記ピンの固定端がせん断容易に形成されている（５）から（８）のいずれかに記載のボルト。
【００３４】
（９）の発明によるボルトは、ナットを締結後にナット誘導部の軸方向と直交する方向から衝撃力を加えることにより、不要とするナット誘導部をせん断できる。
【００３５】
（１０）  前記ナット誘導部は合成樹脂から成る（４）から（８）のいずれかに記載のボルト。
【００３６】
（１０）の発明によるボルトは、ナット誘導部が合成樹脂から成るので、軽量化できる。又、ナット誘導部を着脱自在とすることも容易となる。
【００３７】
（１１）  前記ナット誘導部は磁化された金属から成る（４）から（９）のいずれかに記載のボルト。
【００３８】
（１１）の発明によるボルトは、ナットをナット誘導部に挿入した状態で、ボルトから離脱する方向に移動すると、磁気の吸着力で抵抗となるので、ナットが離脱困難となる。
【発明の効果】
【００３９】
本発明によるボルトは、ナットのねじ部の内径より小さい外径を有するナット誘導部をボルトのねじ部の先端部に備え、ナット誘導部の先端部は、ナットが離脱困難な一つ以上の円環溝を備えているので、ナットを不用意に落下させることなく、ボルトにナットを容易に嵌め込み噛み合わせることができ、高所での締結作業、又、手元の暗い場所での締結作業が楽になり、便利である。そして、ナット誘導部の長さは、従来技術の突起となる無ねじ部より、少なくとも短くすることが可能となる。又、従来技術のように、外れたナットの側面が先端部分の段差に引っかかることなく、ナットをナット誘導部から円滑に取り外すことができる。
【発明を実施するための最良の形態】
【００４０】
以下、図面を参照して本発明を実施するための最良の形態を説明する。
【００４１】
図１は、本発明によるボルトの第１実施形態を示す斜視外観図である。図２は、本発明によるボルトの第２実施形態を示す斜視分解組立図である。図３は、前記第１実施形態によるボルトの使用状態を示す正面図である。図４は、前記第２実施形態によるボルトの使用状態を示す正面図である。図４は要部を断面としている。
【００４２】
最初に、本発明によるボルトの構成を説明する。図１において、本発明によるボルト１は、一方の端部に頭部１１を有し、他方の端部にねじ部１２を有するボルト本体を備えている。ボルト１は、ねじ部１２にナット３が螺合することにより被締結体Ａ・Ｂ（図３参照）が締結される。ナット誘導部１３は、ねじ部１２の先端部に備えられ、ナット３のねじ部３ａ内径より小さい外径を有している。ナット誘導部１３の先端部は、ナット３が離脱困難な一つ以上の円環溝１ａを備えている。又、ナット誘導部１３の基端部は、ナット誘導部１３の先端部側から基端部側に向って円錐状に拡大する円錐部１ｃを備えている。
【００４３】
図１において、ボルト１は、六角柱状の頭部１１を備える六角ボルトを示しているが、四角柱状の頭部１１を備える四角ボルトでもよく、六角形の穴を有する六角穴付きボルトであってもよい。ナット誘導部１３には複数のＶ字状の円環溝１ａが形成されているが、円環溝１ａを螺旋溝となる雌ねじとしてもよい。円環溝１ａは、ナット誘導部１３の先端部側に偏って備えられることが好ましく、ナット誘導部１３の基端部と円環溝１ａ間に無溝部１ｂが備えられている。ねじ部１２は、雄ねじが形成されている雄ねじ部１ｄを含み、雄ねじが形成されていない円柱部１ｅを含んでいる。
【００４４】
図１において、ナット誘導部１３は、ボルト１のねじ部１２と一体で形成されており、ボルト１の製作コストが安価となる。例えば、この一体形のボルト１は、切削加工で製作されてよく、鍛造により製作されてもよい。
【００４５】
図２において、本発明によるボルト２は、一方の端部に頭部２１を有し、他方の端部にねじ部２２を有している。ボルト２は、ねじ部２２にナット３が螺合することにより被締結体Ａ・Ｂ（図４参照）が締結される。ナット誘導部２３は、ねじ部２２の先端部に備えられ、ナット３のねじ部３ａ内径より小さい外径を有している。ナット誘導部２３の先端部は、ナット３が離脱困難な一つ以上の円環溝２ａを備えている。又、ナット誘導部２３の基端部は、ナット誘導部２３の先端部側から基端部側に向って円錐状に拡大する円錐部２ｃを備えている。
【００４６】
図２において、ボルト２は、六角柱状の頭部２１を備える六角ボルトを示しているが、四角柱状の頭部２１を備える四角ボルトでもよく、六角径の穴を有する六角穴付きボルトであってもよい。ナット誘導部２３には複数のＶ字状の円環溝２ａが形成されているが、円環溝２ａを螺旋溝となる雌ねじとしてもよい。円環溝２ａは、ナット誘導部２３の先端部側に偏って備えられることが好ましく、ナット誘導部２３の基端部と円環溝２ａ間に無溝部２ｂが備えられている。ねじ部２２は、雄ねじが形成されている雄ねじ部２ｄを含み、雄ねじが形成されていない円柱部２ｅを含んでいる。
【００４７】
図２において、ナット誘導部２３は、ボルト２のねじ部２２と別体で形成されている。又、ナット誘導部２３は、ナット誘導部２３の基端部から突出形成されるピン２ｐを備えている。ねじ部２２は、ピン２ｐが嵌合する穴２ｈを設けている。ピン２ｐは穴２ｈに圧入できるように形成されてよく、ナット誘導部２３をねじ部２２に確実に結合できる。又、ピン２ｐは穴２ｈに着脱自在に挿入されるように形成されてもよい。例えば、ナット３をボルト２に締結後に不要となったナット誘導部２３を取り外すことができる。
【００４８】
図２において、ナット誘導部２３の基端部から突出形成されるピン２ｐに雄ねじを形成し、ボルト２のねじ部２２は、このピン２ｐがねじ止めされる雌ねじ穴を設けてもよい。ナット３をボルト２に締結後に不要となったナット誘導部２３を取り外すことができる。ナット３を再度緩めたときナット３が落下しないように、このナット誘導部２３をボルト２にねじ止めしたままにしておいてもよい。
【００４９】
次に、本発明によるボルトの作用を説明する。
【００５０】
図３において、ナット誘導部１３にナット３が挿入された状態で、ナット３がねじ部２２の先端部に誘導され、ボルト１にナット３を容易に嵌め込み噛み合わせることができる。ナット誘導部１３にナット３が挿入されるので、ナット３を不用意に落下させることが無くなる。ナット誘導部１３の長さは、ナット３の厚さ以上であることが好ましいが、ナット３の厚さと同程度の長さであってもよい。ナット誘導部１３の長さは、特許文献２に示された従来技術の突起となる無ねじ部より、少なくとも短くすることが可能となる。
【００５１】
図３において、ナット３をナット誘導部１３に挿入した状態から、ナット３をボルト１から離脱する方向に移動すると、ナット３の雌ねじの山が複数の円環溝１ａに係止する。このように、ナット３をナット誘導部１３に挿入した状態で、ボルト１から離脱する方向に移動すると、ナット３の雌ねじの山が円環溝１ａに係止して抵抗となるので、ナット３が離脱困難となる。すなわち、不用意にナットを落とすことが防止できる。又、ナット３を複数の円環溝１ａから僅かに離間させれば、ナット３をナット誘導部１３から取り外すことができる。特許文献２に示された従来技術のように、外れたナットの側面が先端部分の段差に引っかかることなく、ナット３をナット誘導部１３から円滑に取り外すことができる。
【００５２】
一方、図３において、ナット３をナット誘導部１３に挿入した状態で、ナット３をねじ部１２側に移動すると、ナット３は円錐部１ｃの斜面に沿って案内されるので、ボルト１のねじ部１２の先端部に円滑に誘導できる。そして、ボルト１にナット３を容易に嵌め込み噛み合わせることができる。例えば、手元の暗い場所でもナット３をねじ部１２の先端部に容易に噛み合わせることができる。そして、被締結体Ａ・Ｂをボルト１とナット３で締結できる。なお、以上の作用は、ナット誘導部とねじ部が別体で形成された第２実施形態によるボルト２も同じであるので、説明を省略する。
【００５３】
ナット誘導部とねじ部が別体で形成された第２実施形態によるボルト２は、以下のような変形例が考えられる。例えば、図４において、ナット誘導部２３は金属から成り、ピン２ｐの固定端がせん断容易に形成されてもよい。このように、ピン２ｐを形成することにより、ナット３を締結後にナット誘導部１３の軸方向と直交する方向（図中矢印Ｘの方向）から衝撃力を加えることにより、不要とするナット誘導部２３をせん断できる。
【００５４】
又、図４において、ナット誘導部２３を合成樹脂で形成することにより、軽量化でき、ナット誘導部２３を着脱自在とすることも容易となる。例えば、不要になったナット誘導部２３を図中矢印Ｙの方向に引き抜くことができる。更に、ナット誘導部２３を磁化された金属とすることで、ナット３をナット誘導部２３に挿入した状態で、ボルト２から離脱する方向に移動すると、磁気の吸着力で抵抗となるので、ナット３が離脱困難となる。この磁化されたナット誘導部２３は、円環溝２ａの作用と相乗効果を発揮できる。
【００５５】
以上のとおり、本発明に適用されるボルトは、ナットと組み合わされる締結部品であって、頭部とねじ部を有する六角ボルトを例示したが、本発明の技術的思想は、両端部にねじ部を有する植込みボルトや、ねじ部の一端部が溶接される溶接ボルトに応用されてもよく、端部に雄ねじを有する支柱などに応用されてもよい。又、ボルトとナット誘導部は一体でもよく、別体でもよく、必要性や使用条件に応じてどちらか一方が適宜選択される。
【図面の簡単な説明】
【００５６】
【図１】本発明によるボルトの第１実施形態を示す斜視外観図である。
【図２】本発明によるボルトの第２実施形態を示す斜視分解組立図である。
【図３】前記第１実施形態によるボルトの使用状態を示す正面図である。
【図４】前記第２実施形態によるボルトの使用状態を示す正面図である。
【図５】従来技術によるボルトを示す側面図である。
【符号の説明】
【００５７】
１・２  ボルト
１ａ・２ａ  円環溝
３  ナット
３ａ  ねじ部
１１・２１  頭部
１２・２２  ねじ部
１３・２３  ナット誘導部
Ａ・Ｂ  被締結体
【図１】
2007092925.tif 000003
【図２】
2007092925.tif 000004
【図３】
2007092925.tif 000005
【図４】
2007092925.tif 000006
【図５】
2007092925.tif 000007